(57)【要約】  モータ制御装置は、チョッパ部とドライバ部と制御部とを含む。チョッパ部は、チョッパ用スイッチング素子を有し、整流された正弦波の波形を含む電流を生成するように動作可能である。ドライバ部はチョッパ部と電気的に接続されている。ドライバ部は、モータにおけるステータコイルに駆動電流を出力するように動作可能な複数の駆動用スイッチング素子を有する。制御部は、チョッパ用スイッチング素子及び駆動用スイッチング素子の各々をスイッチングする制御信号を出力するように動作可能である。モータ制御装置は正弦波供給モードを有している。正弦波供給モードにおいて、チョッパ部は整流された正弦波の波形を含む電流を生成し、モータ制御装置はステータコイルに正弦波電流を供給する。
2017208938.tif 000002
【特許請求の範囲】
【請求項１】
チョッパ用スイッチング素子を有し、整流された正弦波の波形を含む電流を生成するように動作可能なチョッパ部と、
前記チョッパ部と電気的に接続され、モータにおけるステータコイルに駆動電流を出力するように動作可能な複数の駆動用スイッチング素子を有するドライバ部と、
前記チョッパ用スイッチング素子及び前記駆動用スイッチング素子の各々をスイッチングする制御信号を出力するように動作可能な制御部と
を備えるモータ制御装置であって、
該モータ制御装置は正弦波供給モードを有しており、
該正弦波供給モードにおいて、前記チョッパ部は整流された正弦波の波形を含む電流を生成し、前記モータ制御装置は前記ステータコイルに正弦波電流を供給することを特徴とするモータ制御装置。
【請求項２】
請求項１に記載のモータ制御装置であって、
前記チョッパ部は位相のずれた複数の整流された正弦波を足し合わせてなる波形の電流を生成し、前記駆動用スイッチング素子は複数の前記ステータコイルそれぞれに位相のずれた正弦波電流を供給することを特徴とするモータ制御装置。
【請求項３】
請求項２に記載のモータ制御装置であって、
前記複数のステータコイルは２つのステータコイルであって、
前記２つのステータコイルに供給される正弦波電流は互いに９０°位相がずれていることを特徴とするモータ制御装置。
【請求項４】
請求項３に記載のモータ制御装置であって、
前記ドライバ部は、前記２つのステータコイルにそれぞれ対応した２つのＨブリッジ回路からなり、
該２つのＨブリッジ回路は互いに並列に接続されていることを特徴とするモータ制御装置。
【請求項５】
請求項１〜４のいずれか一項に記載のモータ制御装置であって、
該モータ制御装置は矩形波供給モードを有しており、
該矩形波供給モードにおいて、前記チョッパ部は整流された矩形波の波形を含む電流を生成し、前記駆動用スイッチング素子は前記ステータコイルに矩形波電流を供給することを特徴とするモータ制御装置。
【請求項６】
請求項１に記載のモータ制御装置と、
インダクタを含む直流電流生成部と、を備える車載モータ制御装置であって、
前記モータは車載モータであり、
該車載モータは互いに離間して複数設けられており、
前記ドライバ部は前記直流電流生成部と電気的に接続され、前記車載モータにおける前記ステータコイルに駆動電流を出力するように動作可能な複数の駆動用スイッチング素子を有しており、
前記車載モータ制御装置は離間した複数の前記車載モータの駆動を制御するよう動作可能であることを特徴とする車載モータ制御装置。
【請求項７】
請求項６に記載の車載モータ制御装置と、
前記複数の車載モータと
を備え、
前記複数の車載モータは同一タイプであることを特徴とする車載モータシステム。
【発明の詳細な説明】
【技術分野】
【０００１】
本発明は、モータ制御装置、車載モータ制御装置及び車載モータシステムに関するものである。
【背景技術】
【０００２】
従来、モータ制御装置としては、インバータ部（ドライバ部）に供給する電流を増減させるためのチョッパ部を備えるものがある（例えば、特許文献１参照）。インバータ部は、目標の回転数等に応じてモータのステータコイルに駆動電流を出力する。
【先行技術文献】
【特許文献】
【０００３】
【特許文献１】特開２００６−１２９５７０号公報
【発明の概要】
【発明が解決しようとする課題】
【０００４】
上記のようなモータ制御装置では、チョッパ部で後段のインバータ部（ドライバ部）に供給する電流を増減させている。しかしながら、例えば、ステータコイルに正弦波電流を供給して振動や騒音の少ない駆動を行うためには、インバータ部（ドライバ部）の駆動用スイッチング素子での複雑な高周波駆動が必要となってしまう。【０００５】
本発明の目的は、駆動用スイッチング素子での複雑な高周波駆動を避けつつ振動や騒音の少ない駆動を行うことができるモータ制御装置を提供することにある。
【課題を解決するための手段】
【０００６】
上記目的を達成するため、本発明の第１の態様にかかるモータ制御装置は、チョッパ部とドライバ部と制御部とを含む。前記チョッパ部は、チョッパ用スイッチング素子を有し、整流された正弦波の波形を含む電流を生成するように動作可能である。前記ドライバ部は前記チョッパ部と電気的に接続されている。前記ドライバ部は、モータにおけるステータコイルに駆動電流を出力するように動作可能な複数の駆動用スイッチング素子を有する。前記制御部は、前記チョッパ用スイッチング素子及び前記駆動用スイッチング素子の各々をスイッチングする制御信号を出力するように動作可能である。前記モータ制御装置は正弦波供給モードを有している。該正弦波供給モードにおいて、前記チョッパ部は整流された正弦波の波形を含む電流を生成し、前記モータ制御装置は前記ステータコイルに正弦波電流を供給する。【０００７】
同構成によれば、モータ制御装置は正弦波供給モードを有している。正弦波供給モードにおいて、チョッパ部は整流された正弦波の波形を含む電流を生成し、モータ制御装置はステータコイルに正弦波電流を供給する。そのため、駆動用スイッチング素子のみで正弦波電流を生成する必要が無く、複雑な高周波駆動を避けつつ振動や騒音の少ない駆動を行うことができる。【０００８】
好ましくは、前記チョッパ部は、位相のずれた複数の整流された正弦波を足し合わせてなる波形の電流を生成し、前記駆動用スイッチング素子は複数の前記ステータコイルそれぞれに位相のずれた正弦波電流を供給する。【０００９】
同構成によれば、駆動用スイッチング素子のみで正弦波電流を生成することなく、複数のステータコイルそれぞれに正弦波電流を供給することができる。
好ましくは、前記モータ制御装置は矩形波供給モードを有している。該矩形波供給モードにおいて、前記チョッパ部は整流された矩形波の波形を含む電流を生成し、前記駆動用スイッチング素子は前記ステータコイルに矩形波電流を供給する。【００１０】
同構成によれば、モータ制御装置２１は矩形波供給モードを有している。矩形波供給モードにおいて、チョッパ部は整流された矩形波の波形を含む電流を生成し、駆動用スイッチング素子はステータコイルに矩形波電流を供給する。そのため、例えば、振動や騒音の低減よりも最高速や最高トルクを優先した駆動を行うことができる。【００１１】
また、従来から車両には多数の車載モータが搭載されている。ブラシレスの車載モータには一般的に電圧形の車載モータ制御装置（電圧形インバータ）が一体的に設けられている。また、モータの制御装置としては、インダクタを含む直流電流生成部を備えた電流形のものがある（例えば、特開２０１３−２７２４１号公報参照）。【００１２】
しかしながら、上記のような一般的な構成では、車載モータに車載モータ制御装置（制御回路）が一体的に設けられる。そのため、車載モータ制御装置を含む車載モータが大型化し、車載モータが必要な箇所毎に車両側の搭載スペースが大きく必要になってしまうという問題がある。【００１３】
本発明の第２の態様にかかる車載モータ制御装置は、上記第１の態様にかかるモータ制御装置とインダクタを含む直流電流生成部とを含む。前記モータは車載モータである。該車載モータは互いに離間して複数設けられている。前記ドライバ部は前記直流電流生成部と電気的に接続される。前記ドライバ部は、前記車載モータにおける前記ステータコイルに駆動電流を出力するように動作可能な複数の駆動用スイッチング素子を有している。前記車載モータ制御装置は離間した複数の前記車載モータの駆動を制御するよう動作可能である。【００１４】
同構成によれば、車載モータ制御装置は、離間した複数の車載モータの駆動を制御するように動作可能であるため、例えば、車載モータ毎に制御回路を設ける必要が無く、車載モータの搭載スペースを小さくすることができる。また、載モータ制御装置は、インダクタを含む直流電流生成部を備える電流形の車載モータ制御装置であり、車載モータにおける各ステータコイルに出力する駆動電流を直接的に制御することができる。そのため、例えばステータコイルに流れる電流を測定するための電流センサが不要になるとともに離間した位置にある制御部にその測定値を伝達するための信号線等が不要になる。よって、車載モータの搭載スペースを小さくすることができるとともに、簡単な構成で複数の車載モータの駆動を良好に制御することができる。【００１５】
本発明の第３の態様にかかる車載モータシステムは、上記第２の態様にかかる車載モータ制御装置と、前記複数の車載モータとを含む。前記複数の車載モータは同一タイプである。【００１６】
同構成によれば、車載モータシステムは、前記車載モータ制御装置と、複数の同一タイプの前記車載モータとを備えるため、品番の増加を抑えながら、複数の車載モータの駆動を良好に制御することができる。
【発明の効果】
【００１７】
本発明のモータ制御装置では、駆動用スイッチング素子での複雑な高周波駆動を避けつつ振動や騒音の少ない駆動を行うことができる。
【図面の簡単な説明】
【００１８】
【図１】本発明の第１実施形態にかかるモータの一部断面分解斜視図。
【図２】図１のモータを含むモータシステムの回路図。
【図３】図２のモータシステムの正弦波供給モードにおける２相駆動モードを説明するための波形図。
【図４】図２のモータシステムの正弦波供給モードにおける２相駆動モードを説明するための波形図。
【図５】図２のモータシステムの正弦波供給モードにおける駆動用スイッチング素子の開閉状態を説明するための図。
【図６】図２のモータシステムの正弦波供給モードにおける単相駆動モードを説明するための波形図。
【図７】図２のモータシステムの正弦波供給モードにおける単相駆動モードを説明するための波形図。
【図８】図２のモータシステムの矩形波供給モードにおける単相駆動モードを説明するための波形図。
【図９】図２のモータシステムの矩形波供給モードにおける単相駆動モードを説明するための波形図。
【図１０】第１実施形態の別例におけるモータシステムの回路図。
【図１１】本発明の第２実施形態にかかる車両の模式図。
【図１２】図１１の車載モータシステムの回路図。
【図１３】第２実施形態の別例における車載モータシステムの回路図。
【発明を実施するための形態】
【００１９】
以下、モータシステムの第１実施形態を図１〜図９に従って説明する。
図１に示すように、本実施形態のモータ１は、環状のステータ１１と、ステータ１１の内側に回転可能に配置されるロータ１２とを備える。詳しくは、ステータ１１は、共にランデル型構造のＡ相ステータ部１１ａ及びＢ相ステータ部１１ｂが軸方向に並設（積層）されたものである。また、ロータ１２は、共にランデル型構造のＡ相ロータ部１２ａ及びＢ相ロータ部１２ｂが軸方向に並設（積層）されたものである。
【００２０】
ステータ１１を構成するＡ相ステータ部１１ａ及びＢ相ステータ部１１ｂは、同じ構成であって、それぞれ第１ステータコア１３と、第２ステータコア１４と、ステータコイル１５とを有する。
【００２１】
第１ステータコア１３は、外壁環状部１３ａと第１爪状磁極１３ｂとを有し、その第１爪状磁極１３ｂは外壁環状部１３ａの軸方向端部から径方向内側に延びた径方向延出部１３ｃと該径方向延出部１３ｃの先端から軸方向に延びた磁極部１３ｄとを有する。また、第２ステータコア１４は、外壁環状部１４ａと第２爪状磁極１４ｂとを有し、その第２爪状磁極１４ｂは外壁環状部１４ａの軸方向端部から径方向内側に延びた径方向延出部１４ｃと該径方向延出部１４ｃの先端から軸方向に延びた磁極部１４ｄとを有する。
【００２２】
そして、第１ステータコア１３と第２ステータコア１４は、第１爪状磁極１３ｂと第２爪状磁極１４ｂが周方向に交互に配置されつつ、互いの径方向延出部１３ｃ，１４ｃでステータコイル１５を軸方向に挟むように組み付けられている。上記のように構成されたＡ相ステータ部１１ａ及びＢ相ステータ部１１ｂは、本実施形態では、互いの第２ステータコア１４が向かい合う（対向する）ように軸方向に並設されるとともに、下段（図２中、下段）のＢ相ステータ部１１ｂが上段のＡ相ステータ部１１ａに対して電気角で４５°時計回り方向にずれて並設されている。
【００２３】
ロータ１２を構成するＡ相ロータ部１２ａ及びＢ相ロータ部１２ｂは、同じ構成であって、それぞれ第１ロータコア１６と、第２ロータコア１７と、環状磁石１８とを有する。第１ロータコア１６は、円板状のベース部１６ａと、該ベース部１６ａの外周縁から径方向外側に延びるとともにその先端が軸方向に延びるように屈曲された第１ロータ爪状磁極１６ｂとを有する。また、第２ロータコア１７は、円板状のベース部１７ａと、該ベース部１７ａの外周縁から径方向外側に延びるとともにその先端が軸方向に延びるように屈曲された第２ロータ爪状磁極１７ｂとを有する。
【００２４】
そして、第１ロータコア１６と第２ロータコア１７は、第１ロータ爪状磁極１６ｂと第２ロータ爪状磁極１７ｂが周方向に交互に配置されつつ、互いのベース部１６ａ，１７ａで環状磁石１８を軸方向に挟むように組み付けられている。
【００２５】
環状磁石１８は、軸方向に磁化されており、第１ロータ爪状磁極１６ｂをＮ極として機能させ、第２ロータ爪状磁極１７ｂをＳ極として機能させる。上記のように構成されたＡ相ロータ部１２ａ及びＢ相ロータ部１２ｂは、本実施形態では、互いの第２ロータコア１７が向かい合う（対向する）ように軸方向に並設されるとともに、下段（図２中、下段）のＢ相ロータ部１２ｂが上段のＡ相ロータ部１２ａに対して電気角で４５°反時計回り方向にずれて並設されている。このように、本実施形態では、Ａ相ステータ部１１ａとＢ相ステータ部１１ｂとの相対角度、及びＡ相ロータ部１２ａとＢ相ロータ部１２ｂとの相対角度を電気角で合計して９０°ずらすことで、モータ１における駆動デッドポイントを回避し起動性を向上させている。
【００２６】
上記のように構成されたモータ１によれば、Ａ相ステータ部１１ａ及びＢ相ステータ部１１ｂのステータコイル１５にそれぞれ交流の駆動電流が供給されるとＡ相ステータ部１１ａ及びＢ相ステータ部１１ｂでそれぞれ回転磁界が発生される。これにより、Ａ相ロータ部１２ａ及びＢ相ロータ部１２ｂからなるロータ１２を回転駆動させることが可能とされている。また、本実施形態のモータ１によれば、Ａ相ステータ部１１ａ及びＢ相ステータ部１１ｂの一方のステータコイル１５に交流の駆動電流が供給されるとＡ相ステータ部１１ａ及びＢ相ステータ部１１ｂの一方で回転磁界が発生され、対向するＡ相ロータ部１２ａ又はＢ相ロータ部１２ｂに駆動力が付与される。これにより、ロータ１２を回転駆動させることが可能とされている。
【００２７】
次に、モータシステムの電気的な回路構成について説明する。
図２に示すように、モータ制御装置２１は、チョッパ用スイッチング素子Ｔｒ１７を有し正弦波の波形を含む電流を生成可能なチョッパ部２２と、前記ステータコイル１５に駆動電流を出力するための複数の駆動用スイッチング素子Ｔｒ２〜Ｔｒ９を有するドライバ部２３と、チョッパ用スイッチング素子Ｔｒ１７及び駆動用スイッチング素子Ｔｒ２〜Ｔｒ９をそれぞれスイッチングする制御信号Ｓ１〜Ｓ９を出力する制御部２４とを備える。
【００２８】
本実施形態のチョッパ部２２においては、直流電圧源Ｂの高電位側にチョッパ用スイッチング素子Ｔｒ１７を介してインダクタ２５の第１端子が接続されている。さらに、チョッパ部２２においては、直流電圧源Ｂの低電位側電源線にカソードが接続されたダイオード２６のアノードに前記インダクタ２５の第１端子が接続されている。これにより、チョッパ部２２は、チョッパ用スイッチング素子Ｔｒ１７のスイッチングにより一定の電流や整流された正弦波の波形を含む電流を生成するように動作可能であるとともに該電流をインダクタ２５の第２端子（電流出力端子）から出力するように動作可能である。
【００２９】
ドライバ部２３は、２つのステータコイル１５にそれぞれ対応した２つのＨブリッジ回路２７からなり、２つのＨブリッジ回路２７は互いに並列に接続されている。例えば、Ａ相ステータ部１１ａのステータコイル１５に対応したＨブリッジ回路２７は、４個の駆動用スイッチング素子Ｔｒ２〜Ｔｒ５を有し、駆動用スイッチング素子Ｔｒ２，Ｔｒ３は前記インダクタ２５の第２端子（電流出力端子）に接続され、駆動用スイッチング素子Ｔｒ４，Ｔｒ５は低電位側電源線に接続されている。そして、駆動用スイッチング素子Ｔｒ２，Ｔｒ５はステータコイル１５に正の電流を供給する組をなし、駆動用スイッチング素子Ｔｒ３，Ｔｒ４はステータコイル１５に逆の電流を供給する組をなして構成されている。また、各駆動用スイッチング素子Ｔｒ２〜Ｔｒ５には、ダイオードＤが直列に接続されている。なお、Ｂ相ステータ部１１ｂのステータコイル１５に対応したＨブリッジ回路２７も同様の構成であるため、その説明を省略する。また、本実施形態の駆動用スイッチング素子Ｔｒ２〜Ｔｒ９の各々は、例えば、高速動作可能なＧＡＮトランジスタを備えている。
【００３０】
制御部２４は、マイコンよりなり、図示しない操作スイッチの操作等に基づいてモータ１を駆動するための制御信号Ｓ１〜Ｓ９を生成し、該制御信号Ｓ１〜Ｓ９をチョッパ用スイッチング素子Ｔｒ１７及び駆動用スイッチング素子Ｔｒ２〜Ｔｒ９に出力する。
【００３１】
また、本実施形態のモータ１は、前記ステータコイル１５と並列に接続された位相調整用のコンデンサＣを備えている。
ここで、本実施形態のモータ制御装置２１は、チョッパ部２２にて、整流された正弦波の波形を含む電流を生成して、ステータコイル１５に正弦波電流を供給する「正弦波供給モード」を有している。
【００３２】
詳しくは、本実施形態の「正弦波供給モード」は、更に「２相（Ａ相及びＢ相）駆動モード」と「単相（Ａ相）駆動モード」とに分類されている。
図３に示すように、「正弦波供給モードにおける２相駆動モード」では、チョッパ部２２は、整流された正弦波の波形を含む電流であって、詳しくは９０°位相のずれた２つの全波整流された正弦波を足し合わせてなる波形の電流Ｉａｂを生成する。
【００３３】
そして、図４に示すように、ドライバ部２３は、チョッパ部２２で生成された電流ＩａｂをＡ相ステータ部１１ａのステータコイル１５とＢ相ステータ部１１ｂのステータコイル１５とに分配しつつ電流Ｉａｂの向きを変えて、両ステータコイル１５に互いに９０°位相のずれた正弦波電流Ｉａ１，Ｉｂ１を供給する。
【００３４】
具体的には、この場合、図５に示すように、０°から１８０°までは駆動用スイッチング素子Ｔｒ２，Ｔｒ５の組をオンさせてＡ相ステータ部１１ａのステータコイル１５に正の電流を供給し、１８０°から３６０°までは駆動用スイッチング素子Ｔｒ３，Ｔｒ４の組をオンさせてＡ相ステータ部１１ａのステータコイル１５に逆の電流を供給する。また、２７０°から９０°までは駆動用スイッチング素子Ｔｒ６，Ｔｒ９の組をオンさせてＢ相ステータ部１１ｂのステータコイル１５に正の電流を供給し、９０°から２７０°までは駆動用スイッチング素子Ｔｒ７，Ｔｒ８の組をオンさせてＢ相ステータ部１１ｂのステータコイル１５に逆の電流を供給する。このようにして、図４に示すように、Ａ相ステータ部１１ａのステータコイル１５とＢ相ステータ部１１ｂのステータコイル１５とに９０°位相のずれた正弦波電流Ｉａ１，Ｉｂ１を供給する。
【００３５】
また、図６に示すように、「正弦波供給モードにおける単相駆動モード」では、チョッパ部２２は、整流された正弦波の波形を含む電流であって、１つの全波整流された正弦波の波形の電流Ｉａｂを生成する。
【００３６】
そして、図７に示すように、ドライバ部２３は、チョッパ部２２で生成された電流ＩａｂをＡ相ステータ部１１ａのステータコイル１５に向きを変えて正弦波電流Ｉａ１として供給する。
【００３７】
また、本実施形態のモータ制御装置２１では、チョッパ部２２は、整流された矩形波の波形を含む電流を生成してステータコイル１５に矩形波電流を供給する「矩形波供給モード」を有している。
【００３８】
詳しくは、本実施形態の「矩形波供給モード」は、更に「２相（Ａ相及びＢ相）駆動モード」と「単相（Ａ相）駆動モード」とに分類されている。
例えば、図８に示すように、「矩形波供給モードにおける単相駆動モード」では、チョッパ部２２は、整流された矩形波の波形を含む電流であって、ほぼ一定の波形の電流Ｉａｂを生成する。
【００３９】
そして、図９に示すように、ドライバ部２３は、チョッパ部２２で生成された電流Ｉａｂの向きを変えて矩形波電流Ｉａ２としてＡ相ステータ部１１ａのステータコイル１５に供給する。
【００４０】
また、「矩形波供給モードにおける２相駆動モード」では、チョッパ部２２は、整流された矩形波の波形を含む電流であって、ほぼ一定の波形の電流Ｉａｂを生成する。
そして、ドライバ部２３は、チョッパ部２２で生成された電流ＩａｂをＡ相ステータ部１１ａのステータコイル１５とＢ相ステータ部１１ｂのステータコイル１５とに分配しつつ電流Ｉａｂの向きを変えて、両ステータコイル１５に矩形波電流を供給する（図示略）。
【００４１】
次に、上記のように構成されたモータシステムの作用について説明する。
例えば、図示しない操作スイッチが操作されると、該操作に応じてモータ制御装置２１の制御部２４は上記したモードのいずれかに対応した制御信号Ｓ１〜Ｓ９を生成する。制御信号Ｓ１〜Ｓ９によりチョッパ用スイッチング素子Ｔｒ１７及び駆動用スイッチング素子Ｔｒ２〜Ｔｒ９がオンオフ制御されて、ロータ１２が回転駆動される。
【００４２】
例えば、「正弦波供給モードにおける２相駆動モード」では、両ステータコイル１５に正弦波電流Ｉａ１，Ｉｂ１（図４参照）が供給され、高トルクで振動や騒音の少ないロータ１２の駆動が行われる。
【００４３】
また、例えば、「正弦波供給モードにおける単相駆動モード」では、Ａ相ステータ部１１ａのステータコイル１５に正弦波電流Ｉａ１（参照）が供給され、高速で振動や騒音の少ないロータ１２の駆動が行われる。
【００４４】
また、例えば、「矩形波供給モードにおける単相駆動モード」では、Ａ相ステータ部１１ａのステータコイル１５に矩形波電流Ｉａ２（図９参照）が供給され、振動や騒音の低減よりも最高速を優先したロータ１２の駆動が行われる。
【００４５】
また、例えば、「矩形波供給モードにおける２相駆動モード」では、両ステータコイル１５に矩形波電流が供給され、振動や騒音の低減よりも最高トルクを優先したロータ１２の駆動が行われる。
【００４６】
次に、第１実施形態の有利な効果を以下に記載する。
（１）モータ制御装置２１は「正弦波供給モード」を有している。正弦波供給モードにおいて、チョッパ部２２は整流された正弦波の波形を含む電流を生成し、モータ制御装置２１はステータコイル１５に正弦波電流を供給する。そのため、駆動用スイッチング素子Ｔｒ２〜Ｔｒ９のみで正弦波電流を生成する必要が無く、複雑な高周波駆動を避けつつ振動や騒音の少ない駆動を行うことができる。
【００４７】
（２）チョッパ部２２は、位相のずれた複数の整流された正弦波を足し合わせてなる波形の電流を生成するように構成されている。駆動用スイッチング素子Ｔｒ２〜Ｔｒ９は、複数のステータコイル１５それぞれに位相のずれた正弦波電流を供給するように構成されている。よって、駆動用スイッチング素子Ｔｒ２〜Ｔｒ９のみで正弦波電流を生成することなく、複数のステータコイル１５それぞれに正弦波電流を供給することができる。
【００４８】
（３）モータ制御装置２１は「矩形波供給モード」を有している。矩形波供給モードにおいて、チョッパ部２２は整流された矩形波の波形を含む電流を生成し、駆動用スイッチング素子Ｔｒ２〜Ｔｒ９はステータコイル１５に矩形波電流を供給する。そのため、例えば、振動や騒音の低減よりも最高速や最高トルクを優先した駆動を行うことができる。
【００４９】
第１実施形態は、以下のように変更してもよい。
・第１実施形態では、ドライバ部２３は、複数のＨブリッジ回路２７よりなる構成としたが、これに限定されず、他の構成としてもよい。
【００５０】
例えば、モータ３１のＡ相ステータ部３２ａ及びＢ相ステータ部３２ｂがそれぞれティースに逆巻された第１及び第２ステータコイル３３ａ，３３ｂを有する場合がある。この場合、図１０に示すように、ドライバ部３４は、第１及び第２ステータコイル３３ａ，３３ｂと直列に接続される駆動用スイッチング素子Ｔｒ２１〜Ｔｒ２４を含む。この場合、ドライバ部３４は、モードに応じて、チョッパ部２２で生成された上記実施形態と同様の電流Ｉａｂを分配して第１及び第２ステータコイル３３ａ，３３ｂに半波の正弦波電流又は半波の矩形波電流を供給する。このようにしても、「正弦波供給モード」では、駆動用スイッチング素子Ｔｒ２１〜Ｔｒ２４のみで正弦波電流を生成する必要が無く、複雑な高周波駆動を避けつつ振動や騒音の少ない駆動を行うことができる。
【００５１】
・第１実施形態では、モータ制御装置２１は、チョッパ部２２にて、整流された矩形波の波形を含む電流を生成して、ステータコイル１５に矩形波電流を供給する「矩形波供給モード」を有する。これに限定されず、モータ制御装置２１は「矩形波供給モード」を有していなくてもよい。また、モータ制御装置２１は「矩形波供給モードにおける２相駆動モード」と「矩形波供給モードにおける単相駆動モード」とのいずれか一方のみを有していてもよい。
【００５２】
・第１実施形態では、モータ制御装置２１は、「正弦波供給モードにおける２相駆動モード」と「正弦波供給モードにおける単相駆動モード」とを有するとしたが、これに限定されず、それらのいずれか一方のみを有したモータ制御装置２１としてもよい。
【００５３】
・第１実施形態のモータシステムでは、モータ１を２相モータとしたが、これに限定されず、モータを３相ブラシレスモータ等、３相以上のモータに変更してもよい。なお、勿論この場合、チョッパ部２２の生成する電流やドライバ部２３の構成をステータコイルに応じて適宜変更する必要がある。
【００５４】
以下、モータシステムの第２実施形態を図１１〜図１２に従って説明する。第２実施形態のモータシステムは車載モータシステムに適用される。以下、第１実施形態と同様の構成については同じ参照符号を付し詳細な説明を省略する。
【００５５】
図１１に示すように、車両１０には、フロントウィンドウ２が設けられ、該フロントウィンドウ２の下端（車両前方側端部）における運転席側の部位と助手席側の部位にはそれぞれモータ１としての車載モータ１ａ，１ｂが設けられている。各車載モータ１ａ，１ｂは、同一タイプのモータであって、図１に示す第１実施形態のモータ１と同様の構成を有している。車載モータ１ａ，１ｂはそれぞれ車両用ワイパ４を駆動してフロントウィンドウ２を払拭させるワイパモータである。
【００５６】
次に、車載モータシステムの電気的な回路構成について説明する。
図１１に示すように、車両１０は、直流電圧源であるバッテリＢと、車載モータ制御装置２１とを備える。バッテリＢは、車両１０の前部に配置され、本実施形態の車載モータ制御装置２１は、運転席側の車載モータ１ａと助手席側の車載モータ１ｂとの間の位置に配置されている。車載モータ制御装置２１は、運転席に設けられた操作スイッチＳＷ、バッテリＢ、及び車載モータ１ａ，１ｂとそれぞれ電気的に接続され、操作スイッチＳＷの操作等に基づいて各車載モータ１ａ，１ｂの駆動を自在に制御するよう動作可能とされている。
【００５７】
具体的には、図１２に示すように、車載モータ制御装置２１は、インダクタ２５を含む直流電流生成部２８と、直流電流生成部２８と電気的に接続されて車載モータ１ａ，１ｂにおける各ステータコイル１５に駆動電流を出力するための複数の駆動用スイッチング素子Ｔｒ１〜Ｔｒ１６を有するドライバ部２３と、前記駆動用スイッチング素子Ｔｒ１〜Ｔｒ１６の各々をスイッチングする制御信号Ｓ１〜Ｓ１６を出力する制御部２４とを備える。
【００５８】
本実施形態の直流電流生成部２８は擬似電流形である。バッテリＢの高電位側にはチョッパ用スイッチング素子Ｔｒ１７を介してインダクタ２５の第１端子が接続されている。さらに、バッテリＢの低電位側電源線にカソードが接続されたダイオード２６のアノードに前記インダクタ２５の第１端子が接続されている。これにより、直流電流生成部２８は、チョッパ用スイッチング素子Ｔｒ１７のスイッチングにより体格の大きいインダクタ２５を用いることなく、変動の少ない電流をインダクタ２５の第２端子（電流出力端子）から出力するように動作可能である。
【００５９】
ドライバ部２３は、４つのステータコイル１５にそれぞれ対応した４つのＨブリッジ回路２７からなり、４つのＨブリッジ回路２７は互いに並列に接続されている。例えば、運転席側の車載モータ１ａにおけるＡ相ステータ部１１ａのステータコイル１５に対応したＨブリッジ回路２７は、４個の駆動用スイッチング素子Ｔｒ１〜Ｔｒ４を有し、駆動用スイッチング素子Ｔｒ１，Ｔｒ２は前記インダクタ２５の第２端子（電流出力端子）に接続され、駆動用スイッチング素子Ｔｒ３，Ｔｒ４は低電位側電源線に接続されている。そして、駆動用スイッチング素子Ｔｒ１，Ｔｒ４はステータコイル１５に正の電流を供給する組をなし、駆動用スイッチング素子Ｔｒ２，Ｔｒ３はステータコイル１５に逆の電流を供給する組をなして構成されている。また、各駆動用スイッチング素子Ｔｒ１〜Ｔｒ４には、ダイオードＤが直列に接続されている。なお、他のＨブリッジ回路２７も同様の構成であるため、その説明を省略する。また、本実施形態の駆動用スイッチング素子Ｔｒ１〜Ｔｒ１６は、例えば、高速動作可能なＧＡＮトランジスタを備えている。
【００６０】
制御部２４は、マイコンよりなり、操作スイッチＳＷの操作等に基づいて車載モータ１ａ，１ｂを駆動するための制御信号Ｓ１〜Ｓ１６を生成し、該制御信号Ｓ１〜Ｓ１６を駆動用スイッチング素子Ｔｒ１〜Ｔｒ１６に出力する。
【００６１】
また、本実施形態の車載モータ１ａ，１ｂは、前記ステータコイル１５と並列に接続された位相調整用のコンデンサＣを備えている。
次に、上記のように構成された車載モータシステムの作用について説明する。
【００６２】
例えば、操作スイッチＳＷが操作されると、該操作に応じて車載モータ制御装置２１の制御部２４は制御信号Ｓ１〜Ｓ１６を生成し、制御信号Ｓ１〜Ｓ１６により駆動用スイッチング素子Ｔｒ１〜Ｔｒ１６がオンオフ制御される。すると、車載モータ制御装置２１とは離間した位置に配置された各車載モータ１ａ，１ｂ（各ステータコイル１５）に駆動電流が供給され、ロータ１２が回転駆動され、その回転に伴って車両用ワイパ４が駆動されフロントウィンドウ２が払拭される。
【００６３】
次に、第２実施形態の有利な効果を以下に記載する。
（４）車載モータ制御装置２１は、離間した複数の車載モータ１ａ，１ｂの駆動を制御するように動作可能であるため、例えば、車載モータ１ａ，１ｂ毎に制御回路を設ける必要が無く、車載モータ１ａ，１ｂの搭載スペースを小さくすることができる。また、車載モータ制御装置２１は、インダクタ２５を含む直流電流生成部２８を備える電流形の車載モータ制御装置２１であり、車載モータ１ａ，１ｂにおける各ステータコイル１５に出力する駆動電流を直接的に制御することができる。よって、フィードバックが不要になり、例えばステータコイル１５に流れる電流を測定するための電流センサが不要になるとともに離間した位置にある制御部２４にその測定値を伝達するための信号線等が不要になる。よって、車載モータ１ａ，１ｂの搭載スペースを小さくすることができるとともに、簡単な構成で複数の車載モータ１ａ，１ｂの駆動を良好に制御することができる。
【００６４】
（５）車載モータシステムは、単一の車載モータ制御装置２１と、複数の同一タイプの車載モータ１ａ，１ｂとを備えるため、品番の増加を抑えながら、複数の車載モータ１ａ，１ｂの駆動を良好に制御することができる。
【００６５】
第２実施形態は、以下のように変更してもよい。
・第２実施形態では、ドライバ部２３は、複数のＨブリッジ回路２７よりなる構成としたが、これに限定されず、他の構成としてもよい。
【００６６】
例えば、図１３に示すように、車載モータ３１ａ，３１ｂの各Ａ相ステータ部３２ａ及び各Ｂ相ステータ部３２ｂがそれぞれティースに逆巻された第１及び第２ステータコイル３３ａ，３３ｂを有する場合、ドライバ部３４を各第１及び第２ステータコイル３３ａ，３３ｂに直列に接続される駆動用スイッチング素子Ｔｒ２１〜Ｔｒ２８としてもよい。このようにしても、第２実施形態と同様に、車載モータ１ａ，１ｂの搭載スペースを小さくすることができるとともに、簡単な構成で複数の車載モータ１ａ，１ｂの駆動を良好に制御することができる。
【００６７】
・第２実施形態の車載モータシステムでは、車載モータ１ａ，１ｂ（３１ａ，３１ｂ）を２相モータとしたが、これに限定されず、車載モータを３相ブラシレスモータ等、３相以上のモータに変更してもよい。なお、勿論この場合、ドライバ部２３をステータコイルに応じて適宜変更する必要がある。
【００６８】
・第２実施形態では、２つの車載モータ１ａ，１ｂを同一タイプ（品番が同じ）のモータであって車両用ワイパ４を駆動するためのワイパモータであるとしたが、これに限定されず、異なるタイプのモータとしてもよいし、ワイパモータ以外の車載モータとしてもよい。例えば、車載モータシステムは、ワイパモータやファンモータやパワーウィンドモータ等の少なくとも２つの車載モータを備えるとともに、それら離間した複数の車載モータの駆動を自在に（同時に又は選択的に）制御するよう動作可能な車載モータ制御装置を備えた構成としてもよい。
【００６９】
・第２実施形態では、直流電流生成部２８は、チョッパ用スイッチング素子Ｔｒ１７を有する擬似電流形のものであるとしたが、これに限定されず、大型のインダクタを有することで（チョッパ用スイッチング素子Ｔｒ１７を有していなくとも）変動の少ない電流を出力可能なものとしてもよい。
【符号の説明】
【００７０】
１，１ａ，１ｂ，３１，３１ａ，３１ｂ…モータ、１５…ステータコイル、２２…チョッパ部、２３，３４…ドライバ部、２４…制御部、３３ａ…第１ステータコイル（ステータコイル）、３３ｂ…第２ステータコイル（ステータコイル）、Ｉａ１，Ｉｂ１…正弦波電流、Ｉａ２…矩形波電流、Ｓ１〜Ｓ１６…制御信号、Ｔｒ１，Ｔｒ１７…チョッパ用スイッチング素子、Ｔｒ２〜Ｔｒ１６，Ｔｒ２１〜Ｔｒ２８…駆動用スイッチング素子、２５…インダクタ、２８…直流電流生成部、Ｓ１〜Ｓ１６…制御信号。
【図１】
2017208938.tif 000003
【図２】
2017208938.tif 000004
【図３】
2017208938.tif 000005
【図４】
2017208938.tif 000006
【図５】
2017208938.tif 000007
【図６】
2017208938.tif 000008
【図７】
2017208938.tif 000009
【図８】
2017208938.tif 000010
【図９】
2017208938.tif 000011
【図１０】
2017208938.tif 000012
【図１１】
2017208938.tif 000013
【図１２】
2017208938.tif 000014
【図１３】
2017208938.tif 000015
【国際調査報告】
2017208938.tif 000016
2017208938.tif 000017